(57)【要約】【課題】バイト工具の切刃の刃先に欠陥が生じた際に、バイト切削装置に該バイト工具が装着された状態で該バイト工具の該切刃の該刃先に生じた該欠陥を除去する。【解決手段】切刃にダイヤモンドを含むバイト工具の該切刃の刃先に生じた欠陥を除去するためのバイト工具の修正方法であって、該刃先を修正するための修正用基板を準備する準備工程と、該準備工程の後、該切刃の該刃先を該修正用基板に切り込ませて該バイト工具により該修正用基板をバイト切削させ、該刃先を消耗させることで該刃先に形成された欠陥を除去する切刃修正工程と、を備える。好ましくは、前記修正用基板は、シリコン基板である。【選択図】図４
2020082250.tif 000002
【特許請求の範囲】
【請求項１】
切刃にダイヤモンドを含むバイト工具の該切刃の刃先に生じた欠陥を除去するためのバイト工具の修正方法であって、
該刃先を修正するための修正用基板を準備する準備工程と、
該準備工程の後、該切刃の該刃先を該修正用基板に切り込ませて該バイト工具により該修正用基板をバイト切削させ、該刃先を消耗させることで該刃先に形成された欠陥を除去する切刃修正工程と、
を備えることを特徴とするバイト工具の修正方法。
【請求項２】
前記修正用基板は、シリコン基板であることを特徴とする請求項１記載のバイト工具の修正方法。
【発明の詳細な説明】
【技術分野】
【０００１】
本発明は、切刃にダイヤモンドを含むバイト工具の該切刃の刃先に生じた欠陥を除去するバイト工具の修正方法に関する。
【背景技術】
【０００２】
ＩＣ（Integrated Circuit）やＬＳＩ（Large Scale Integrated Circuit）等の複数のデバイスが表面に形成されたウェーハの裏面側を研削して該ウェーハを薄化し、その後、該ウェーハをデバイス毎に分割すると、個々のデバイスチップを形成できる。形成されたデバイスチップは、携帯電話やパソコン等の電子機器に搭載される。
【０００３】
近年、デバイスチップの薄型化や小型化を実現するために、例えば、フリップチップボンディングと呼ばれる実装技術が実用化されている。該実装技術では、デバイスチップの表面に複数の１０μｍ〜１００μｍ程度の高さのバンプと呼ばれる金属製の突起物を形成する。そして、デバイスチップを配線基板に実装する際には、これらのバンプを配線基板に形成された電極に相対させ、直接接合させる。
【０００４】
さらに、ウェーハに形成された複数のデバイスの表面にそれぞれ直接バンプを形成し、ウェーハ表面とともに該バンプを封止材で封止し、その後、該ウェーハをデバイス毎に分割してデバイスチップを形成する技術が実用化されている（例えば、特許文献１参照）。この技術は、ＷＬ−ＣＳＰ（Wafer-level Chip Size Package）と呼ばれている。
【０００５】
これらの技術において、複数のバンプの高さは不均一であるため、実装対象となる配線基板の各電極にすべてのバンプを一様に接合するのは困難である。そこで、切刃にダイヤモンドを含むバイト工具が装着されたバイト切削装置により、デバイスチップの表面を覆う封止材を薄化するとともにバンプの高さを揃える加工方法が実用化されている（例えば、特許文献２参照）。
【先行技術文献】
【特許文献】
【０００６】
【特許文献１】特開２００１−７１３５号公報
【特許文献２】特開２０００−１７３９５４号公報
【発明の概要】
【発明が解決しようとする課題】
【０００７】
デバイスチップの表面を覆う封止材は硬いため、封止材をバイト工具でバイト切削すると、切刃の刃先に小さな欠陥が生じやすい。切刃の刃先に欠陥が生じたバイト工具を使用して被加工物のバイト切削を継続すると、被加工物の表面に凹凸形状が形成されたり被加工物にクラックが生じたりする場合がある。すなわち、バイト切削装置は被加工物の加工を適切に実施できなくなる。
【０００８】
そこで、バイト工具の切刃の刃先に欠陥が生じた際、バイト切削装置により実施されるバイト切削を停止させバイト工具を交換する。バイト工具を交換すると、バイト切削装置は再び被加工物を適切に加工できるようになる。しかしながら、バイト工具を交換する間は被加工物のバイト切削を実施できず、また、新しいバイト工具にコストがかかるため、バイト切削装置によるバイト切削の時間的及び費用的な効率が低下してしまう。
【０００９】
本発明はかかる問題点に鑑みてなされたものであり、その目的とするところは、バイト切削装置にバイト工具が装着された状態で該バイト工具の切刃の刃先に生じた欠陥を除去できるバイト工具の修正方法を提供することである。
【課題を解決するための手段】
【００１０】
本発明の一態様によれば、切刃にダイヤモンドを含むバイト工具の該切刃の刃先に生じた欠陥を除去するためのバイト工具の修正方法であって、該刃先を修正するための修正用基板を準備する準備工程と、該準備工程の後、該切刃の該刃先を該修正用基板に切り込ませて該バイト工具により該修正用基板をバイト切削させ、該刃先を消耗させることで該刃先に形成された欠陥を除去する切刃修正工程と、を備えることを特徴とするバイト工具の修正方法が提供される。
【００１１】
好ましくは、前記修正用基板は、シリコン基板である。
【発明の効果】
【００１２】
本発明の一態様では、バイト工具の切刃の刃先を修正するための修正用基板を準備する。該修正用基板は、例えば、シリコン基板である。そして、バイト工具の切刃の刃先を修正用基板に切り込ませて、バイト工具により修正用基板をバイト切削させる。すると、切刃が刃先から消耗する。
【００１３】
これは、切刃にダイヤモンドを含むバイト工具と、修正用基板であるシリコン基板と、が接触した際に、ダイヤモンドと、シリコンと、の間で化学反応が生じるためと考えられる。または、バイト切削により生じる加工熱によりダイヤモンドが炭化するためと考えられる。または、他の可能性として、切刃の刃先及び修正用基板の接触点でプラズマが生じ、該プラズマがダイヤモンドを炭化する、または、ダイヤモンドのＣ−Ｃ結合を切断するためと考えられる。
【００１４】
切刃の刃先に欠陥が生じたバイト工具で修正用基板をバイト切削して積極的に切刃の刃先を消耗させると、欠陥の形成された箇所が消失して、欠陥のない新たな刃先が形成される。そのため、バイト切削装置は該バイト工具により再び被加工物をバイト切削できるようになる。このとき、バイト工具を交換する必要がないためバイト切削装置の稼働を停止させる時間が少なくて済む。また、バイト工具の寿命を伸ばせる。そのため、バイト切削のコストが低下し加工効率が飛躍的に高まる。
【００１５】
したがって、本発明によりバイト切削装置にバイト工具が装着された状態で該バイト工具の切刃の刃先に生じた欠陥を除去できるバイト工具の修正方法が提供される。
【図面の簡単な説明】
【００１６】
【図１】修正用基板を模式的に示す斜視図である。
【図２】切刃修正工程を模式的に示す側面図である。
【図３】バイト工具を模式的に示す斜視図である。
【図４】図４（Ａ）は、刃先に欠陥を生じたバイト工具を模式的に示す拡大側面図であり、図４（Ｂ）は、刃先の欠陥が除去されたバイト工具を模式的に示す拡大側面図である。
【発明を実施するための形態】
【００１７】
添付図面を参照して、本発明の実施形態について説明する。まず、本実施形態に係るバイト工具の修正方法により修正されるバイト工具が使用されるバイト切削装置について説明する。バイト切削装置は、被加工物を該バイト工具でバイト切削する機能を有する。図２には、バイト切削装置２の側面図が示されている。
【００１８】
図２に示す通り、バイト切削装置２はチャックテーブル４を備える。チャックテーブル４は、上面側に露出する多孔質部材（不図示）と、該多孔質部材に接続された吸引源（不図示）と、を備え、チャックテーブル４の上面は被加工物を保持する保持面４ａとなる。また、チャックテーブル４は、保持面４ａに平行な面に沿った方向に移動可能である。
【００１９】
バイト切削装置２は、被加工物をバイト切削するバイト切削ユニット６をチャックテーブル４の上方に備える。バイト切削ユニット６は、チャックテーブル４の保持面に垂直な方向に沿ったスピンドル８と、該スピンドル８の下端に固定された円板状のホイールマウント８ａと、を備える。ホイールマウント８ａの下面には、外周部にバイト工具１２が装着された円環状のバイトホイール１０が固定される。
【００２０】
スピンドル８をチャックテーブル４の保持面４ａに垂直な方向に沿った軸の周りに回転させると、バイトホイール１０に装着されたバイト工具１２が回転する。このときのバイト工具１２の回転軌道の半径が被加工物の径よりも大きくなるように、バイトホイール１０の所定の位置にバイト工具１２が装着されている。
【００２１】
図３は、バイト工具１２を模式的に示す斜視図である。バイト工具１２は、ダイヤモンドからなる切刃１６を支持する支持体１４と、支持体１４の下端付近に固定された切刃１６と、を備える。支持体１４の上部は、バイトホイール１０の下面に固定される。
【００２２】
被加工物をバイト切削する際には、被加工物の加工深さにより決定された所定の高さ位置に刃先が位置付けられるようにバイト切削ユニット６を下降させ、バイト工具１２を回転させる。そして、バイト切削ユニット６の下方を通過するようにチャックテーブル４を保持面４ａに平行な方向に移動させる。そして、回転するバイト工具１２の切刃１６の刃先１６ａがチャックテーブル４に保持された被加工物に接触すると、該被加工物がバイト切削される。
【００２３】
バイト切削装置２で加工される被加工物は、例えば、ＩＣやＬＳＩ等の複数のデバイスが表面に形成されたウェーハである。該ウェーハをデバイス毎に分割すると、個々のデバイスチップが形成される。該デバイスチップは、所定の配線基板等に実装される。近年、予めデバイスチップの表面に複数の金属製のバンプを形成しておき、デバイスチップを配線基板に実装する際にはこれらのバンプを配線基板に形成された電極に相対させ、直接接合させる技術が実用化されている。
【００２４】
バンプは、例えば、ウェーハを分割する前に、ウェーハの表面側に形成された各デバイスの電極に形成される。そして、ウェーハの表面側は封止材により覆われて封止される。ここで、複数のバンプの高さは不均一であるため、配線基板の各電極にすべてのバンプを一様に接合するのは困難である。そこで、バイト切削装置２により、ウェーハの表面を覆う封止材を薄化するとともにバンプの高さを揃える。
【００２５】
ウェーハの表面を覆う封止材は硬度が高いため、封止材をバイト工具１２でバイト切削すると、該バイト工具１２の切刃１６の刃先１６ａに小さな欠陥が生じやすい。図４（Ａ）は、刃先１６ａに欠陥１６ｂが生じた切刃１６を拡大して模式的に示す側面図である。
【００２６】
切刃１６の刃先１６ａに欠陥１６ｂが生じたバイト工具１２を使用してウェーハのバイト切削を継続すると、バイト切削装置２はウェーハの加工を適切に実施できず、ウェーハにクラックが生じる場合もある。また、ウェーハの被加工面に欠陥１６ｂに起因する凹凸形状が形成される場合もある。
【００２７】
そこで、バイト工具１２の切刃１６の刃先１６ａに欠陥１６ｂが生じて、バイト工具１２が被加工物のバイト切削を適切に実施できない状態となった場合、本実施形態に係るバイト工具の修正方法によりバイト工具１２を修正する。バイト工具１２の修正には、修正用基板を使用する。図１は、修正用基板１を模式的に示す斜視図である。
【００２８】
切刃１６にダイヤモンドを含むバイト工具１２の修正には、例えば、修正用基板１としてシリコン基板を使用する。または、修正用基板１として、硬質の樹脂やゴム等の材料で形成された基板を使用してもよい。以下、修正用基板１としてシリコン基板を使用する場合を例に説明する。修正用基板１は、例えば、ＩＣやＬＳＩ等を搭載したデバイスチップを製造する際に使用可能なシリコン基板であり、両方の面が平坦な円板状の基板である。
【００２９】
次に、本実施形態に係るバイト工具の修正方法の各工程について説明する。該バイト工具の修正方法では、まず、切刃１６の刃先１６ａを修正するための修正用基板１を準備する準備工程を実施する。
【００３０】
該準備工程では、まず、チャックテーブル４をバイト切削ユニット６の直下から外れた位置に移動させ、修正用基板１をバイト切削装置２のチャックテーブル４の保持面４ａ上に載せる。このとき、修正用基板１のバイト工具１２の切刃１６の刃先１６ａを修正できる被切削面１ａを上方に向け、刃先１６ａの修正に使用されない面１ｂをチャックテーブル４の保持面４ａに向ける。そして、チャックテーブル４の吸引源を作動させて、修正用基板１をチャックテーブル４に吸引保持させる。
【００３１】
本実施形態に係るバイト工具の修正方法では、該準備工程の後、刃先１６ａに形成された欠陥１６ｂを除去する切刃修正工程を実施する。図２は、切刃修正工程を模式的に示す側面図である。切刃修正工程では、まず、バイト切削ユニット６を所定の高さ位置に位置付ける。そして、スピンドル８を回転させてバイト工具１２を回転移動させながらチャックテーブル４をバイト切削ユニット６の下方を通過するように保持面４ａに平行な方向に移動させ、バイト工具１２により修正用基板１をバイト切削させる。
【００３２】
なお、バイト切削ユニット６の該所定の高さ位置は、例えば、バイト工具１２の切刃１６が修正用基板１を２μｍ〜５μｍの深さにまで切り込む高さ位置とする。切刃１６の刃先１６ａを修正用基板１に切り込ませると、バイト工具１２により修正用基板１がバイト切削されるとともに、刃先１６ａが消耗する。
【００３３】
刃先１６ａの消耗が生じるのは、切刃１６にダイヤモンドを含むバイト工具と、修正用基板１であるシリコン基板と、が接触すると、ダイヤモンドと、シリコンと、の間で化学反応が生じるためと考えられる。または、バイト切削により生じる加工熱によりダイヤモンドが炭化するためと考えられる。または、他の可能性として、刃先１６ａ及び修正用基板１の接触点でプラズマが生じ、該プラズマがダイヤモンドを炭化する、または、ダイヤモンドのＣ−Ｃ結合を切断するためと考えられる。
【００３４】
いずれにせよ、バイト工具１２により修正用基板１をバイト切削すると、バイト工具１２の刃先１６ａが消耗することが確認されている。そして、刃先１６ａが消耗することにより刃先１６ａの欠陥１６ｂが生じている部分も消耗する。さらに、刃先１６ａに形成された欠陥１６ｂがすべて消失するまで修正用基板１のバイト切削を継続する。すると、刃先１６ａから欠陥１６ｂが除去され、被加工物のバイト切削に適した状態となる。
【００３５】
図４（Ｂ）は、欠陥１６ｂが除去された切刃１６を拡大して模式的に示す側面図である。図４（Ｂ）には、切刃修正工程を実施する前の刃先１６ａの位置１６ｃが示されている。切刃修正工程では、このように欠陥１６ｂが除去される程度に刃先１６ａを積極的に消耗させる。その後、チャックテーブル４による修正用基板１の吸引保持を解除して、修正用基板１を取り外すと、バイト切削装置２は被加工物のバイト切削に適した状態となる。
【００３６】
すなわち、切刃１６の刃先１６ａに欠陥１６ｂが生じたバイト工具１２で修正用基板１をバイト切削して積極的に切刃１６の刃先１６ａを消耗させると、欠陥１６ｂの形成された箇所が消失して、欠陥のない新たな刃先１６ａが形成される。このとき、バイト工具１２を交換する必要がないためバイト切削装置２の稼働を停止させる時間が少なくて済む。また、バイト工具１２の寿命を伸ばせる。そのため、バイト切削のコストが低下し加工効率が飛躍的に高まる。
【００３７】
なお、本発明は上記実施形態の記載に限定されず、種々変更して実施可能である。例えば、上記実施形態では、バイト切削装置２に装着された状態でバイト工具１２の切刃１６の刃先１６ａを修正する場合について説明したが、本発明の一態様はこれに限定されない。例えば、バイト切削装置２から欠陥１６ｂが生じたバイト工具１２を取り外して、バイト切削装置２と同様に構成される専用のバイト工具修正装置にバイト工具１２を取り付け、バイト工具修正装置に修正用基板１を設置してバイト工具１２を修正してもよい。
【００３８】
また、上記実施形態では、切刃１６にダイヤモンドを含むバイト工具１２の刃先１６ａを修正する場合について説明したが、本発明の一態様はこれに限定されない。例えば、本発明の一態様では、切刃１６にコバルトが含有された炭化タングステン（ＷＣ−Ｃｏ）を含む超硬バイトの切刃１６の刃先１６ａを修正してもよい。この場合、修正用基板１には超硬バイトの修正に適した材料を使用する。
【００３９】
上記実施形態に係る構造、方法等は、本発明の目的の範囲を逸脱しない限りにおいて適宜変更して実施できる。
【符号の説明】
【００４０】
１  修正用基板１
１ａ，１ｂ  面
２  バイト切削装置
４  チャックテーブル
４ａ  保持面
６  バイト切削ユニット
８  スピンドル
８ａ  ホイールマウント
１０  バイトホイール
１２  バイト工具
１４  支持体
１６  切刃
１６ａ  刃先
１６ｂ  欠陥
１６ｃ  切刃修正工程を実施する前の刃先の位置
【図１】
2020082250.tif 000003
【図２】
2020082250.tif 000004
【図３】
2020082250.tif 000005
【図４】
2020082250.tif 000006